(57)【特許請求の範囲】
【請求項１】
靴底の前足部から後足部にわたってシャンクを設けた靴底構造において、
緩衝底における足の内外の略中央部に装着凹所が設けられ、該装着凹所にシャンクが装着され、
前記シャンクは、前足部から後足部にわたって前後に長い棒状部と、該棒状部の前端部に固定された固定羽根と、前記棒状部の軸線を中心に回転可能で、かつ、前記棒状部の後部に取り付けられた後羽根と、前記棒状部における前記固定羽根と後羽根との間に配置された中間羽根とを備え、
該中間羽根は前記固定羽根の配設された略水平な第１平面と、
該第１平面を足の内側に向けて回転させた第２平面との間のみが回転可能になっている靴底構造。
【発明の詳細な説明】
【０００１】
【発明の属する技術分野】
本発明は靴底構造の特にシャンクに関するものである。
【０００２】
【従来の技術】
ミッドソールを備えた運動靴は、歩行や走行時には踏まず部の変形が激しく、そのため使用者に疲労を与え易い。そこで、近年ではシャンクをミッドソールの下面に固着して、前記変形の防止を図っている靴がある（たとえば、特開平７−０７９８０４号公報参照）。
【０００３】
かかるシャンクの一例として、ストリップ形状ないしワイヤ状のシャンクをミッドソールの底面側に設けることで、前足部に対し後足部を戻れ易くして、歩行時等に足が若干戻れながら屈曲する“あおり運動”を容易にした靴底構造が知られている。しかし、この構造では、靴底の平面に沿った面内曲げに対する抗力が得られない。
一方、シャンクを硬いロッド状にして面内曲げに対する抗力を大きくすると、該ロッド状のシャンクの前後に固定した板状体が邪魔になって、前記戻れ易さが損なわれる。
【０００４】
したがって、本発明の目的は、シャンクを備えた靴底構造であって、前足部に対し後足部が戻れ易く、かつ、靴底平面に沿った面内曲げに対する抗力が大きい靴底構造を提供することである。
【０００５】
【課題を解決するための手段】
前記目的を達成するために、本第１発明は、靴底の前足部から後足部にわたってシャンクを設けた靴底構造において、緩衝底における足の内外の略中央部に装着凹所が設けられ、該装着凹所にシャンクが装着され、前記シャンクは、前足部から後足部にわたって前後に長い棒状部と、該棒状部とは別部品で前記棒状部の軸線を中心に所定の角度範囲においてのみ回転可能な状態に前記棒状部に装着され、かつ、踏まず部または踏まず部よりも後方に（足の中足趾節関節よりも後方に）設けられた羽根とを備えていることを特徴とする。
一方、本第２発明は靴底の前足部から後足部にわたってシャンクを設けた靴底構造において、緩衝底における足の内外の略中央部に装着凹所が設けられ、該装着凹所にシャンクが装着され、前記シャンクは、前足部から後足部にわたって前後に長い棒状部と、該棒状部の前端部に固定された固定羽根と、前記棒状部とは別部品で前記棒状部の軸線を中心に所定の２つの平面の間においてのみ回転可能な状態に前記棒状部に装着され、かつ、前記棒状部の後部に取り付けられた後羽根とを備えていることを特徴とする。
本発明によれば、足の“あおり運動”に追従して（後）羽根が棒状部の軸線を中心に回転する。
【０００６】
本発明において、「棒状部」は、金属製の丸棒を用いることができるが、パイプなどを加工してもよく、また、シャンクとして剛性が得られれば合成樹脂で形成してもよい。
また、「羽根」は、一般に、棒状部とは別部品で形成するのが好ましいが、棒状部と羽根とを一体の金属や樹脂で形成してもよい。
【０００７】
また、本発明のシャンクは、棒状部における固定羽根と後羽根との間に中間羽根を備えているのが好ましいが、本発明では該固定羽根、中間羽根を必ずしも設ける必要はない。
【０００８】
また、本発明においては、靴底の前足部と後足部との間に横溝を形成するのが好ましいが、該横溝を必ずしも設ける必要はなく、また、前足部や後足部に靴底を屈曲し易くするための他の横溝を設けてもよい。
【０００９】
【発明の実施の形態】
以下、本発明の一実施形態を図面にしたがって説明する。
図１に示すように、緩衝底２には、前足部２０から後足部２２にわたってシャンク１が設けられている。なお、緩衝底２は、いわゆるミッドソールの下面にアウターソールを接着して形成してもよいが、ミッドソールの下面にアウターソールを一体に成形したもので構成してもよい。
【００１０】
図２に示すように、前記緩衝底２における足の内側ＩＮおよび外側ＯＵＴの略中央部には、装着凹所２３が設けてある。該装着凹所２３は、前記シャンク１に対応した形状を有しており、該装着凹所２３には前記シャンク１が上方から装着される。
【００１１】
図３は靴底を底面側から見た斜視図である。
この図に示すように、緩衝底２における前足部２０と後足部２２との間には、つまり、踏まず部２１には、接地面から足裏に向って入り込んだ一対の横溝２４，２４が形成されている。これにより、緩衝底２は後足部２２が前足部２０に対し、軸線Ｃのまわりに戻れ易くなっている。
【００１２】
図４において、前記シャンク１は、破線で示す棒状部１０と、３枚の羽根１Ｆ，１Ｍ，１Ｒとで構成される。前記棒状部１０は金属製の丸棒を加工して形成され、一方、前記３枚の羽根１Ｆ，１Ｍ，１Ｒは合成樹脂で構成されている。なお、前記棒状部１０は、前足部２０から後足部２２にわたって前後方向に長く形成されており、図４（ｂ）に示すように、その前端部１１が偏平な形状に加工されている。
【００１３】
図４（ａ）の固定羽根（羽根状の固定部）１Ｆは、前記前端部１１を鋳ぐるむようにして前端部１１に一体に固定されている。一方、中間羽根１Ｍおよび後羽根１Ｒは、シャンク１の軸線Ｃを中心に回転可能に装着されている。なお、中間羽根１Ｍは棒状部１０における固定羽根１Ｆと後羽根１Ｒとの間に設けられており、また、後羽根１Ｒは棒状部１０の後端部に取り付けられている。
【００１４】
前記各羽根１Ｆ，１Ｍ，１Ｒには、中間羽根１Ｍおよび後羽根１Ｒの回転方向や回転角を規制すると共に両回転羽根１Ｍ，１Ｒを互いに連動させるための係合部１２が一体に形成されている。これらの係合部１２は、図４（ａ），（ｃ）のように互いに回転方向に係合することで、以下に説明するように中間羽根１Ｍの回転方向を規制する。
【００１５】
前記シャンク１の各羽根１Ｆ，１Ｍ，１Ｒは、靴の非装着時には、図１に示すように、緩衝底２の上面に沿った第１平面Ｐ１上に配設されたようになって、互いに略フラットな状態に保たれる。中間羽根１Ｍは、前記フラットな図５（ａ）の状態から、図５（ｂ）の矢印Ａ１のように、第１平面Ｐ１を足の内側に向けて回転させた第２平面Ｐ２との間の角度範囲においてのみ回転可能となっている。一方、前記後羽根１Ｒは、前記フラットな図５（ａ）の状態から、図５（ｃ）の矢印Ａ２のように、第１平面Ｐ１を足の外側に向けて回転させた第３平面Ｐ３と、前記第２平面Ｐ２との間において回転できる。つまり、フラットな図５（ａ）の状態に対し、中間羽根１Ｍは内側Ａ１にのみ回転でき、一方、後羽根１Ｒは内側Ａ１および外側Ａ２の双方に回転することができる。
【００１６】
図３に示すように、各羽根１Ｆ，１Ｍ，１Ｒには円柱部１３が一体に形成されており、一方、緩衝底２の装着凹所２３には靴底の底面に向って開いた円形孔部２５が３つ形成されている。前記円柱部１３は円形孔部２５に嵌まり込んだ状態で固着される。また、前記各羽根１Ｆ，１Ｍ，１Ｒの裏面は図２の装着凹所２３に固着されると共に、その表面が中底に固着される。なお、中底は緩衝底２の上方に固着される。
【００１７】
つぎに、図６を用いて、歩行時等の足の“あおり運動”等について説明する。
足３は、図６（ａ）に示すように、踵の外側３０から着地し、図６（ｂ）のように足裏３５全体が着地し始める。その後、足３は図６（ｃ）の矢印Ａ１のように、後足部３２が内側に回転するかのように荷重中心が内側に移動する。その後、中足趾節関節の屈曲により踵が浮き始めるが、その際、まず、第３〜第５中足趾節関節が最初に屈曲するため足の後足部３２が矢印Ａ２のように外側に回転して、足の外側の小趾球３３に荷重中心が移動する。その後、第１〜第２中足趾節関節も屈曲し足が図６（ｅ）のように屈曲すると、矢印Ａ１のように足の後足部３２が内側に若干回転して、足の内側の母趾球３４に荷重中心が移動し、該母趾球３４を荷重中心として前足部を蹴り出すことで、図６（ｆ）のように足が宙に浮く。
【００１８】
つぎに、本実施形態の靴底構造を有する靴を装着して歩行した場合の各羽根の挙動について説明する。
図７（ａ）から（ｂ）にかけて踵の外側から着地し、踏み込んで足裏全体が着地していく際に、足の踵が内側ＩＮに回転するが、これに合わせて図５（ｂ）のように２枚の回転羽根１Ｍ、１Ｒが内側Ａ１に若干回転する。続いて、図７（ｂ）から（ｃ）のように足裏全体が接地すると、前記２枚の回転羽根１Ｍ，１Ｒが元に戻り、後羽根１Ｒの剛性により、足の踵が内側ＩＮに回転するプロネーションを防止する。
続いて、図７（ｄ）の蹴り出し初期には、踵が浮き始めるのであるが、この際には、まず第３〜第５中足趾節関節が屈曲し、小趾球（足の前部の外側）に荷重中心が移動し始める。この際、足の動きに対応して靴底の後足部２２が外側に回転しようとすると、図５（ｃ）のように後羽根１Ｒが外側に回転して、前記後足部２２の回転を許容する。更に、第１から第２中足趾節関節も屈曲して図７（ｅ）のように踏まず部２１が浮き始めると、小趾球から母趾球に体重が移動するのに伴って、図５（ｂ）の２枚の回転羽根１Ｍ，１Ｒが内側に若干回転して、足の“あおり動作”が妨げられるのを防止すると共に、中間羽根１Ｍが外側に回転しないので、前足部ないし中足部が足の外側に捩れるのを防止して、母趾球に加わるべき力が足の外側に逃げるのを防止する。その後、足が宙に浮くと２枚の羽根Ｍ，Ｒが元の原点位置（角度）に復帰する。
【００１９】
【発明の効果】
以上説明したように、本発明によれば、（後）羽根により歩行時に足の前足部と後足部とが相対的に捩じれる“あおり運動”を許容する一方で、踏まず部が屈曲するのをシャンクの棒状部により防止するから足が疲労しにくい。
特に、シャンクの曲げ剛性の大きい棒状部や、羽根により、靴底の平面に沿った面内曲げに対する大きな抗力が得られるので、該面内曲げによる不必要な靴底や足の変形を防止できるから歩き易くなる。
【００２０】
また、内側に向って回転可能な中間羽根を設ければ、踏まず部の面内曲げの防止効果が大きくなるだけでなく、足裏全体が着地していく際や、足裏が浮き始める際に足の後足部が内側へ回転するのを許容し得る。特に、足を踏み出す際に、踏み出す力が小趾球側に（外側に）逃げるのを防止して、母趾球を荷重中心として前足部を蹴り出すことができるから、足の疲労等を防止し得る。
【図面の簡単な説明】
【図１】本発明の靴底構造の一実施形態を示す靴底の斜視図である。
【図２】同分解斜視図である。
【図３】底面側から見た靴底の分解斜視図である。
【図４】シャンクの平面図、縦断面図、横断面図である。
【図５】シャンクの動作を示す斜視図である。
【図６】歩行中の素足の挙動を示す背面図、ならびに、足を示す底面図である。
【図７】靴を装着した際の足の挙動を示す背面図である。
【符号の説明】
１：シャンク
１０：棒状部
１Ｆ：固定羽根
１Ｍ：中間羽根
１Ｒ：後羽根
２：緩衝底
２０：前足部
２１：踏まず部
２２：後足部
２３：装着凹所
【図１】
0004434356.tif 000002
【図２】
0004434356.tif 000003
【図３】
0004434356.tif 000004
【図４】
0004434356.tif 000005
【図５】
0004434356.tif 000006
【図６】
0004434356.tif 000007
【図７】
0004434356.tif 000008